(57)【要約】      （修正有）【課題】コンパクトに収納が可能であり、香炉を廻す際に持ちやすく、かつ香炉の焼香盆からの落下を防止することができる廻し香炉を提供する。【解決手段】廻し香炉１は、香炉２と、香炉２を載せることが可能な載置面３１を有し、香炉２を収容可能な収容部材３とを備え、香炉２の下面２１側の少なくとも一部に磁石Ｍまたは磁性体が埋設され、香炉２の下面２１側に磁石Ｍが設けられる場合、収容部材３の載置面３１側の少なくとも一部に、香炉２を収容部材３の載置面３１上で保持することが可能な磁石Ｍ２または磁性体が設けられ、香炉２の下面２１側に磁性体が設けられる場合、収容部材３の載置面３１側の少なくとも一部に、香炉２を収容部材３の載置面３１上で保持することが可能な磁石Ｍ２が設けられていることを特徴とする。【選択図】図３
0003189097.tif 000002
【実用新案登録請求の範囲】
【請求項１】
香炉部材と、
前記香炉部材を収容可能であり、かつ、前記香炉部材を載せることが可能な載置面を上面に有する収容部材と
を備えた廻し香炉であって、
前記香炉部材の下面側の少なくとも一部に磁石または磁性体が埋設され、
前記香炉部材の下面側に磁石が設けられる場合、前記収容部材の載置面側の少なくとも一部に、前記香炉部材を前記収容部材の載置面上で保持することが可能な磁石または磁性体が設けられ、
前記香炉部材の下面側に磁性体が設けられる場合、前記収容部材の載置面側の少なくとも一部に、前記香炉部材を前記収容部材の載置面上で保持することが可能な磁石が設けられていることを特徴とする廻し香炉。
【請求項２】
前記香炉部材の上面側に、お香収容部と焼香部とを備えていることを特徴とする請求項１記載の廻し香炉。
【請求項３】
前記香炉部材が、道具収納部をさらに備えている請求項１または２記載の廻し香炉。
【請求項４】
前記収容部材が、前記香炉部材をスライドして収納および取り出し可能に形成された収容開口部を少なくとも１つ備え、
前記香炉部材が収容される前記収容部材の収容空間の底面の少なくとも一部に、前記香炉部材の下面側に磁石が設けられる場合は、磁石または磁性体が設けられ、前記香炉部材の下面側に磁性体が設けられる場合は、磁石が設けられていることを特徴とする請求項１〜３のいずれか１項に記載の廻し香炉。
【考案の詳細な説明】
【技術分野】
【０００１】
本考案は、廻し香炉に関する。
【背景技術】
【０００２】
従来、法要の際など、参列者の間で焼香する際に、廻し香炉が用いられている。廻し香炉は、通常、焼香盆の上に香炉を載せ、参列者の間で焼香盆に載った香炉を廻しながら、各自が焼香するためのものである。香炉には、お香と焼香炭が入れて参列者の間で廻される。
【考案の概要】
【考案が解決しようとする課題】
【０００３】
しかしながら、従来の廻し香炉は、参列者の間で廻す際に（たとえば右隣の参列者や、後ろ側の参列者へ受け渡す際）、焼香盆上で香炉が滑ってしまうことがあり、廻しにくいという問題があった。また、香炉内には、お香の他、焼香炭も入っているため、香炉が焼香盆上で滑ると危険である。
【０００４】
さらに、廻し香炉は法要の際に用いられるが、法要は毎日行われることはないため、コンパクトに収納できることが求められている。しかしながら、従来の廻し香炉では、香炉と焼香盆とを単に別々に収納するしかなく、コンパクトな収納ができていなかった。
【０００５】
そこで、本考案はかかる問題点に鑑みて、コンパクトに収納が可能であり、香炉を廻す際に持ちやすく、かつ香炉の焼香盆からの落下を防止することができる廻し香炉を提供することを目的とする。
【課題を解決するための手段】
【０００６】
本考案の廻し香炉は、香炉部材と、前記香炉部材を収容可能であり、かつ、前記香炉部材を載せることが可能な載置面を上面に有する収容部材とを備えた廻し香炉であって、前記香炉部材の下面側の少なくとも一部に磁石または磁性体が埋設され、前記香炉部材の下面側に磁石が設けられる場合、前記収容部材の載置面側の少なくとも一部に、前記香炉部材を前記収容部材の載置面上で保持することが可能な磁石または磁性体が設けられ、前記香炉部材の下面側に磁性体が設けられる場合、前記収容部材の載置面側の少なくとも一部に、前記香炉部材を前記収容部材の載置面上で保持することが可能な磁石が設けられていることを特徴とする。
【０００７】
また、前記香炉部材の上面側に、お香収容部と焼香部とを備えていることが好ましい。
【０００８】
また、前記香炉部材が、道具収納部をさらに備えていることが好ましい。
【０００９】
また、前記収容部材が、前記香炉部材をスライドして収納および取り出し可能に形成された収容開口部を少なくとも１つ備え、前記香炉部材が収容される前記収容部材の収容空間の底面の少なくとも一部に、前記香炉部材の下面側に磁石が設けられる場合は、磁石または磁性体が設けられ、前記香炉部材の下面側に磁性体が設けられる場合は、磁石が設けられていることが好ましい。
【考案の効果】
【００１０】
本考案の廻し香炉によれば、廻し香炉を廻すときに、収容部材が焼香盆となり、かつ香炉部材が焼香盆として機能する収容部材の載置面上で滑らないように構成されている。したがって、香炉部材が滑ることによる香炉や香合などの香炉部材の落下を防止することができる。また、廻し香炉を使用しないときは、香炉や香合などを収容部材内に収納して、コンパクトな収納が可能となる。さらに、収容部材の両端が開口している場合や、一方端が開口し、他方端に把持部が設けられている場合には、収容部材を持ちやすく、廻し香炉を廻しやすくなる。
【図面の簡単な説明】
【００１１】
【図１】本考案の廻し香炉の使用状態を示す斜視図である。
【図２】本考案の廻し香炉の香炉部材が収容された収容状態を示す斜視図である。
【図３】本考案の廻し香炉の断面図である。
【考案を実施するための形態】
【００１２】
以下、添付図面を参照し、本考案の廻し香炉を詳細に説明する。
【００１３】
図１〜図３に示されるように、本実施形態の廻し香炉１は、香炉部材２と、香炉部材２を載せることが可能な載置面３１を有し、香炉部材２を収容可能な収容部材３とを備えている。本実施形態では、香炉部材２はその上面２４側に、お香が収容されるお香収容部２２と、焼香炭が入れられる焼香部２３とを備えている。本実施形態では、香炉部材２は、お香と焼香炭の両方を１つの香炉２に入れることができるように構成されているが、本明細書における「香炉部材」とは、お香と焼香炭の両方を１つの部材に入れるように構成された香炉だけでなく、香炉２に焼香炭だけを入れるように構成された香炉や、別途別体として設けられたお香が入れられる香合を総称したものであり、香合だけのものや、様々な種類の香炉が香炉部材となり得る。なお、本実施形態では図示を省略しているが、凹部として形成されているお香収容部２２および焼香部２３には、お香を入れる容器、焼香炭を入れる容器がそれぞれ嵌め込まれて使用される。また、お香を入れる容器、焼香炭を入れる容器がそれぞれ嵌め込まれたお香収容部２２および焼香部２３には、それぞれ図示しない蓋が取り付けられる。なお、香炉部材２には、お香収容部２２や焼香部２３以外に、道具収納部（図示せず）を設けてもよい。ここで、道具収納部とは、マッチやライター、その他焼香に必要な道具を入れることができる収納部であり、その形状は特に限定されるものではない。
【００１４】
香炉部材２は、図１〜図３に示す実施形態では、外形が略直方体形状を呈しているが、香炉部材２の外形形状は図１〜図３に示す形状に限定されるものではなく、水平に切断した切断面が円形や楕円形であってもよく、それ以外の形状であっても構わない。
【００１５】
収容部材３は、香炉部材２を参列者の間で廻す際に、収容部材３の上面側の載置面３１に載せ、香炉部材２を用いないときには、内部に香炉部材２を収容するための部材である。収容部材３は、香炉部材２を収容することができる収容空間Ｓを有しており、収容空間Ｓは香炉部材２よりもわずかに大きく形成されている。本実施形態では、収容部材３は、両端に収容開口部３２を有した角筒状に形成されている。なお、収容部材３の形状は、収容空間Ｓに香炉部材２を収容し、収容空間Ｓから香炉部材２を取り出すことができるものであれば、図１〜図３に示す形状に限定されるものではない。また、香炉部材２の形状と収容部材３の形状は、全く異なる形状としてもよい。
【００１６】
つぎに、本実施形態における香炉部材２を収容部材３の載置面３１上で保持するための構造について説明する。
【００１７】
図３に示されるように、本実施形態の廻し香炉１は、香炉部材２の下面２１側に磁石Ｍが埋設され、収容部材３の載置面３１側に、香炉部材２を収容部材３の載置面３１上で保持することが可能な磁石Ｍ２が設けられている。香炉部材２の磁石Ｍと収容部材３の載置面３１の磁石Ｍ２とは、香炉部材２を収容部材３の載置面３１上に載せたときに、対向するように配置されている。この香炉部材２の磁石Ｍと収容部材３の載置面３１側に設けられた磁石Ｍ２により、香炉部材２は収容部材３上で保持される。これにより、廻し香炉１を廻すときに、収容部材３が焼香盆として機能し、かつ香炉部材２が焼香盆として機能する収容部材３の載置面３１上で磁石Ｍ、Ｍ２の吸着力により、滑らないように構成されている。したがって、香炉部材２が滑ることによる香炉部材２の収容部材３の載置面３１からの落下を防止することができる。また、廻し香炉１を使用しないときは、香炉部材２を収容部材３内に収納して、コンパクトな収納が可能となる。
【００１８】
本実施形態では、香炉部材２に設けられた磁石Ｍは、香炉部材２の下面２１の中央に１つだけ設けられ、収容部材３に設けられた磁石Ｍ２は、収容部材３の載置面３１の中央に１つだけ設けられているが、香炉部材２の磁石Ｍおよび収容部材３の磁石Ｍ２の位置は、図示した位置に限定されるものではない。すなわち、香炉部材２の磁石Ｍは、香炉部材２の下面２１側の少なくとも一部に設けられていればよく、同様に収容部材３側の磁石Ｍ２も、香炉部材２を収容部材３の載置面３１上で保持できる位置であれば、載置面３１の少なくとも一部に設けられていればよい。また、磁石Ｍ、Ｍ２の個数は、それぞれ１つずつ設けられているが、それぞれ複数の磁石Ｍ、Ｍ２を設けてもよい。磁石Ｍ、Ｍ２としては、フェライト磁石、ネオジム磁石などを用いることができるが、特に磁石の種類は限定されるものではない。
【００１９】
また、香炉部材２および収容部材３のうち、いずれか一方に磁石が設けられる場合、他方は磁石が吸着可能な磁性体であってもよい。たとえば、香炉部材２の下面２１側に磁石Ｍが設けられる場合には、収容部材３の載置面３１の少なくとも一部に、香炉部材２を収容部材３の載置面３１上で保持することが可能な磁性体を設ければよい。逆に、香炉部材２の下面２１側に磁性体が設けられる場合には、収容部材３の載置面３１側の少なくとも一部に、香炉部材２を収容部材３の載置面３１上で保持することが可能な磁石Ｍ２を設ければよい。磁性体としては、磁石が吸着可能なものであればよく、たとえば、鉄やマルテンサイト系ステンレス鋼などの強磁性体を用いることができる。
【００２０】
また、本実施形態では、図３に示されるように、香炉部材２が載置面３１上で保持されるだけでなく、香炉部材２が収容部材３の収容空間Ｓ内に収容された状態でも保持することが可能となっている。具体的には、香炉部材２が収容される収容部材３の収容空間Ｓの底面Ｂの少なくとも一部に、香炉部材２の下面２１側の磁石Ｍが吸着される、磁石Ｍ３が設けられている。これにより、香炉部材２は、磁石Ｍと磁石Ｍ３との間の吸着力により、収容部材３に収容された状態でも保持される。なお、香炉部材２に磁石Ｍが設けられている場合には、収容空間Ｓの底面Ｂの少なくとも一部に、磁石Ｍが吸着される磁性体を設ければよい。逆に、香炉部材２に磁性体が設けられる場合には、収容部材３の収容空間Ｓの底面Ｂには、磁石Ｍ３が設けられる。
【００２１】
また、本実施形態では、図１〜図３に示されるように、香炉部材２が収容部材３にスライドして収納および取り出しが可能なように、収容部材３の両端に収容開口部３２が設けられている。なお、本実施形態では収容開口部３２は収容部材３の両端に２つ設けられているが、収容開口部３２は少なくとも１つ設けられていればよく、収容開口部３２の個数は特に限定されるものではない。この収容開口部３２により、香炉部材２はいずれの収容開口部３２からも収納および取り出しが可能であり、出し入れが容易となる。そのうえ、香炉部材２を収容部材３の載置面３１に磁力により保持して、焼香をするときや、廻し香炉１を廻す際には、収容開口部３２に指を入れることができるため、把持しやすく、廻し香炉１を落としてしまう危険性を低くすることができる。
【００２２】
つぎに、本考案の廻し香炉１の使用方法について説明する。
【００２３】
図２の状態が、香炉部材２が収容部材３の収容空間Ｓ内に収容されている状態である。この状態では、図３に二点鎖線で示すように、香炉部材２の下面２１に設けられた磁石Ｍと、収容空間Ｓの底面Ｂに設けられた磁石Ｍ３とが磁力により吸着されているため、廻し香炉１を傾けても収容された香炉部材２は収容部材３から落下することはない。
【００２４】
この状態から、収容開口部３２のいずれかに指を押し込んで、香炉部材２をスライドする方向に押すと、磁石Ｍと磁石Ｍ３との間の吸着が解け、香炉部材２はスムーズに収容空間Ｓ内を底面Ｂに沿って摺動する。香炉部材２が収容部材３から取り外されると、香炉部材２のお香収容部２２にお香を入れ、焼香部２３に焼香炭を入れた後、収容部材３の載置面３１に香炉部材２を載せる（図１および図３の実線参照）。香炉部材２を載置面３１に載せると、香炉部材２の下面２１に設けられた磁石Ｍと、載置面３１に設けられた磁石Ｍ２とが磁力により吸着され、香炉部材２が載置面３１上で安定して保持される。そして、廻し香炉１全体を傾けたとしても、香炉部材２は載置面３１に対して移動することなく保持される。参列者が焼香をする際、収容部材３は片手で持たれることになり（たとえば右手でお香を焼香灰に入れる場合、左手だけで収容部材３を持つことになる）、収容部材３が水平面に対して傾くことが多い。しかしながら、収容部材３が多少傾いたとしても、磁石Ｍと磁石Ｍ２との吸着により、香炉部材２は載置面３１上を滑ることなく、安定して保持される。廻し香炉１を次の参列者に廻す場合も同様に、香炉部材２が載置面３１上を滑ることなく安定して保持される。したがって、従来問題となっていた、香炉部材２が焼香盆上で滑るという危険性を無くすことができ、参列者が安心して廻し香炉１を使用し、廻すことが可能となる。
【００２５】
そして、廻し香炉１を使用した後は、香炉部材２と収容部材３の磁石Ｍと磁石Ｍ２との間の吸着を解き、収容開口部３２のいずれかから香炉２を収容空間Ｓ内にスライドして収容する。所定の位置まで香炉部材２がスライドすると、香炉部材２の磁石Ｍと、収容部材３の収容空間Ｓの底面Ｂに設けられた磁石Ｍ３とが吸着し、香炉部材２が完全に収容された状態で停止する。そして、このようにコンパクトに収容された状態で、香炉部材２と焼香盆として機能する収容部材３を一体的に保管することができる。
【符号の説明】
【００２６】
１  廻し香炉
２  香炉部材
２１  下面
２２  お香収容部
２３  焼香部
２４  上面
３  収容部材
３１  載置面
３２  収容開口部
Ｂ  収容空間の底面
Ｍ、Ｍ２、Ｍ３  磁石
Ｓ  収容空間
【図１】
0003189097.tif 000003
【図２】
0003189097.tif 000004
【図３】
0003189097.tif 000005